【手続補正書】
【提出日】平成27年8月21日(2015.8.21)
【手続補正１】
【補正対象書類名】明細書
【補正対象項目名】０００７
【補正方法】変更
【補正の内容】
【０００７】
上記目的を達成するために、本発明は、
胴回り開口と一対の脚回り開口とを備える使い捨てオムツであって、
縦方向と、縦方向に直交する横断方向とを含み、
前記使い捨てオムツの前記胴回り開口と前記脚回り開口との間に位置する胴回り部分のうち少なくとも側部に複合伸縮性材料が設けられ、
前記複合伸縮性材料は、互いに重ね合わされた第一の不織布シート部分及び第二の不織布シート部分と、前記第一の不織布シート部分と前記第二の不織布シート部分との間に配置された弾性部材と、を備え、
前記第一の不織布シート部分及び前記第二の不織布シート部分がそれぞれ、
前記横断方向に沿って交互に繰り返されると共に前記縦方向に延びる凸部及び凹部を備える複数の凹凸領域と、
これら凹凸領域を前記縦方向に互いに離間させる少なくとも１つの非凹凸領域と、
を備え、
前記凹凸領域同士が互いに隣接しかつ前記非凹凸領域同士が互いに離間するように、かつ前記縦方向に関し前記凹凸領域同士及び前記非凹凸領域同士がそれぞれ互いに整列されるように、前記第一の不織布シート部分及び前記第二の不織布シート部分が重ね合わされ、
前記第一の不織布シート部分及び前記第二の不織布シート部分は、前記弾性部材に適用された接着剤により互いに接合される、
使い捨てオムツを提供する。
【手続補正２】
【補正対象書類名】明細書
【補正対象項目名】００１７
【補正方法】変更
【補正の内容】
【００１７】
第一の実施形態では、各サイドパネル５Ｓは、オムツ展開時の吸収要素３の両方の縦方向端部の側部３Ｃに接合される。吸収要素３のそれぞれの横断方向の側（図２の右側及び左側）に配置されるサイドパネル５Ｓが、これらの側縁部５Ｓｓにおいて互いに接合されている。各サイドパネル５Ｓは、前側領域ＦＡ及び後側領域ＲＡでは、略矩形形状をなしており、股領域ＣＡにおいて使い捨てオムツ１の縦方向Ｔ中央に向かうにつれ幅が狭くなっている。この使い捨てオムツ１では、前側領域ＦＡ及び後側領域ＲＡよりも幅が狭くなっている股領域ＣＡに位置する部分によって、脚回り開口ＬＯを形成する脚回り開口形成部１ＬＯが形成されている。
【手続補正３】
【補正対象書類名】明細書
【補正対象項目名】００３１
【補正方法】変更
【補正の内容】
【００３１】
次いで、図７の状態の複合伸縮性材料５Ａは折り重ね装置２３に移送される。この例では、折り重ね装置２３は巻き込みセーラである。巻き込みセーラは、複合伸縮性材料５Ａを、中心軸線ＣＬ（図７）を折り曲げ線として折り、不織布シート６の一方の片側部分６Ｕを他方の片側部分６Ｌの上に、互いの非凹凸領域４３が整列するように重ね合わせられる。ひいては、凹凸領域４１も互いに整列する。その結果、図７の状態の複合伸縮性材料５Ａは折り重ね装置２３を通過すると図８の状態の複合伸縮性材料５Ｂになる。
【手続補正４】
【補正対象書類名】明細書
【補正対象項目名】００４５
【補正方法】変更
【補正の内容】
【００４５】
さらに、三点曲げ状に隣り合う歯先端部分３３Ａと歯先端部分３３Ｂと別の歯先端部分３３Ａとの間で延伸されて、その歯先端部分３３Ｂを底部とする凹部５３を形成する。このとき欠歯ギヤロール１５Ａの欠歯部分３１において連続ギヤロール１５Ｂに押される不織布シート６の非凹凸領域４３と、欠歯ギヤロール１５Ａの不連続歯２９部分において連続ギヤロール１５Ｂの歯先端部分３３Ｂでロックされることになる不織布シート６の凹部５１の底部との、各ギヤロール１５Ａ，１５Ｂにおける半径方向の位置がほぼ同じになる。すなわち不織布シート６における厚さがほぼ同じになる。よって、不織布シート６に凹凸領域４１及び非凹凸領域４３が形成された後も、これらはほぼ同一の面上に存在することになる。ここで、前記面を各不織布シート部分６Ｕ，６Ｌについての仮想の基準面ＲＰと定義する。ここでは、基準面ＲＰは平面状であり、非凹凸領域４３はこの基準面ＲＰ上で拡がることとなる。なお、各不織布シート部分６Ｕ，６Ｌはそれぞれ柔軟性を備えているので、基準面ＲＰは必ずしも平面状ではない。
【手続補正５】
【補正対象書類名】明細書
【補正対象項目名】００７２
【補正方法】変更
【補正の内容】
【００７２】
上述の断面曲線要素の密度Ｄは、以下のようにして求められる。まず、複合伸縮性材料５の凹凸領域４１における伸縮方向に沿った断面曲線が形状測定機により測定される。なお、断面形状は互いに隣接する２本の弾性部材同士間のほぼ中央で測定されるのが好ましい。次いで、この断面曲線から、基準長さにおける断面曲線要素の高さＺ（ｘ）及び長さＸｓが求められる（ＪＩＳ  Ｂ０６０１：２００１（ＩＳＯ４２８７：１９９７）、ＪＩＳ  Ｂ０６５１：２００１（ＩＳＯ３２７４：１９９６）及び図１７参照）。最後に、断面曲線要素の密度Ｄは、上述の断面曲線要素の長さＸｓの平均値ＰＳｍから、算出される（Ｄ＝１／ＰＳｍ）。
【手続補正６】
【補正対象書類名】明細書
【補正対象項目名】００８１
【補正方法】変更
【補正の内容】
【００８１】
上記の第二の実施形態の使い捨てオムツ１は、使い捨てオムツ１の胴回り部分の側部ＷＰＥ（図１８）のみではなく、胴回り部分ＷＰの一方の側部ＷＰＥから他方の側部ＷＰＥにわたって複合伸縮性材料５が延びている。言い換えれば、この使い捨てオムツ１では、胴回り部分ＷＰ（図１８）全体に、すなわち着用時に着用者の足が触れ得るより広域な部分に複合伸縮性材料５が配されている。したがって、さらに足が引っかかりづらく、使い捨てオムツ１を着用者に着用させ易い構成になっているので有利である。
【手続補正７】
【補正対象書類名】明細書
【補正対象項目名】００８３
【補正方法】変更
【補正の内容】
【００８３】
本発明は、以下のように規定される。
（１）  胴回り開口と一対の脚回り開口とを備える使い捨てオムツであって、
縦方向と、縦方向に直交する横断方向とを含み、
前記使い捨てオムツの前記胴回り開口と前記脚回り開口との間に位置する胴回り部分のうち少なくとも側部に複合伸縮性材料が設けられ、
前記複合伸縮性材料は、互いに重ね合わされた第一の不織布シート部分及び第二の不織布シート部分と、前記第一の不織布シート部分と前記第二の不織布シート部分との間に配置された弾性部材と、を備え、
前記第一の不織布シート部分及び前記第二の不織布シート部分がそれぞれ、
前記横断方向に沿って交互に繰り返されると共に前記縦方向に延びる凸部及び凹部を備える複数の凹凸領域と、
これら凹凸領域を前記縦方向に互いに離間させる少なくとも１つの非凹凸領域と、
を備え、
前記凹凸領域同士が互いに隣接しかつ前記非凹凸領域同士が互いに離間するように、かつ前記縦方向に関し前記凹凸領域同士及び前記非凹凸領域同士がそれぞれ互いに整列されるように、前記第一の不織布シート部分及び前記第二の不織布シート部分が重ね合わされ、
前記第一の不織布シート部分及び前記第二の不織布シート部分は、前記弾性部材に適用された接着剤により互いに接合される、
使い捨てオムツ。
【手続補正８】
【補正対象書類名】明細書
【補正対象項目名】００８５
【補正方法】変更
【補正の内容】
【００８５】
（３）  前記複合伸縮性材料は、前記胴回り部分の一方の側部から他方の側部にわたって延びる、
（１）又は（２）に記載の使い捨てオムツ。
【手続補正９】
【補正対象書類名】明細書
【補正対象項目名】００８８
【補正方法】変更
【補正の内容】
【００８８】
（６）  前記複合伸縮性材料は、長繊維不織布から作成される、
（１）〜（５）のいずれか１つに記載の使い捨てオムツ。
【手続補正１０】
【補正対象書類名】明細書
【補正対象項目名】００８９
【補正方法】変更
【補正の内容】
【００８９】
（７）  互いに重なり合う前記第一の不織布シート部分及び前記第二の不織布シート部分が、単一の不織布シート内に形成されており、
前記単一の不織布シートが、前記非凹凸領域に平行な折り曲げ線に沿って折り曲げられ、互いに重ね合わされている、
（１）〜（６）のいずれか１つに記載の使い捨てオムツ。
【手続補正１１】
【補正対象書類名】特許請求の範囲
【補正対象項目名】全文
【補正方法】変更
【補正の内容】
【特許請求の範囲】
【請求項１】
胴回り開口と一対の脚回り開口とを備える使い捨てオムツであって、
縦方向と、縦方向に直交する横断方向とを含み、
前記使い捨てオムツの前記胴回り開口と前記脚回り開口との間に位置する胴回り部分のうち少なくとも側部に複合伸縮性材料が設けられ、
前記複合伸縮性材料は、互いに重ね合わされた第一の不織布シート部分及び第二の不織布シート部分と、前記第一の不織布シート部分と前記第二の不織布シート部分との間に配置された弾性部材と、を備え、
前記第一の不織布シート部分及び前記第二の不織布シート部分がそれぞれ、
前記横断方向に沿って交互に繰り返されると共に前記縦方向に延びる凸部及び凹部を備える複数の凹凸領域と、
これら凹凸領域を前記縦方向に互いに離間させる少なくとも１つの非凹凸領域と、
を備え、
前記凹凸領域同士が互いに隣接しかつ前記非凹凸領域同士が互いに離間するように、かつ前記縦方向に関し前記凹凸領域同士及び前記非凹凸領域同士がそれぞれ互いに整列されるように、前記第一の不織布シート部分及び前記第二の不織布シート部分が重ね合わされ、
前記第一の不織布シート部分及び前記第二の不織布シート部分は、前記弾性部材に適用された接着剤により互いに接合される、
使い捨てオムツ。
【請求項２】
前記弾性部材は、前記縦方向に互いに離間されつつ互いに整列された前記非凹凸領域同士間を延びる、
請求項１に記載の使い捨てオムツ。
【請求項３】
前記複合伸縮性材料は、前記胴回り部分の一方の側部から他方の側部にわたって延びる、
請求項１又は２に記載の使い捨てオムツ。
【請求項４】
前記第一の不織布シート部分の前記凸部が前記第二の不織布シート部分の前記凹部内部に入り込むと共に、前記第二の不織布シート部分の前記凸部が前記第一の不織布シート部分の前記凹部内部に入り込んでいる、
請求項１〜３のいずれか１項に記載の使い捨てオムツ。
【請求項５】
前記凸部はそれぞれ、前記非凹凸領域から厚さ方向に突出し、
前記凹部はそれぞれ、互いに隣接する２つの前記凸部同士の間で前記非凹凸領域まで到っている、
請求項１〜４のいずれか１項に記載の使い捨てオムツ。
【請求項６】
前記複合伸縮性材料は、長繊維不織布から作成される、
請求項１〜５のいずれか１項に記載の使い捨てオムツ。
【請求項７】
互いに重なり合う前記第一の不織布シート部分及び前記第二の不織布シート部分が、単一の不織布シート内に形成されており、
前記単一の不織布シートが、前記非凹凸領域に平行な折り曲げ線に沿って折り曲げられ、互いに重ね合わされている、
請求項１〜６のいずれか１項に記載の使い捨てオムツ。
【手続補正１２】
【補正対象書類名】図面
【補正対象項目名】図１５Ａ
【補正方法】変更
【補正の内容】
【図１５Ａ】
2014068907.tif 000001